(57)【要約】【課題】  本願発明は、通常の状態で使用される場合のみならず、高熱に曝された場合であっても、目視読み取りが可能であり、かつ、見付面積が狭く、平面部分が僅小なクラウンにも付することができ、法的にも許可されている歯科材料からなる識別標識を有する義歯およびその製造方法を提供する。【解決手段】  陶材製またはレジン材製のクラウンからなる義歯、または人工歯とレジン床とからなる義歯において、クラウンの表面にステイン陶材または歯科用ステインにより、クラウンの舌側歯頸部近傍の表面に直接描画を描出して目視可能な義歯識別標識とし、またはレジン床の表面の舌側歯頸部近傍に描画を刻設したレジン片を埋入して目視可能な義歯識別標識とする構成とした。【選択図】  図１
2006034600.tif 000002
【特許請求の範囲】
【請求項１】
陶材製またはレジン材製のクラウンまたはクラウンとポンティックからなる架工義歯（ブリッジ）または人工歯とこれを支持するレジン床とからなる有床義歯において、
前記クラウンとポンティック（以下、単に「クラウン」という。）の表面および／または前記レジン床の表面の舌側歯頸部近傍に目視可能な義歯識別標識が付されていることを特徴とする識別情報を有する義歯。
【請求項２】
前記クラウンの表面に付する前記義歯識別標識は、前記陶材製クラウンの表面に塗布するステイン陶材または前記レジン材製のクラウンの表面に塗布する歯科用ステインにより、前記クラウンの表面に直接描出された文字または線図あるいは描画（以下、単に「描画」という。）であることを特徴とする請求項１に記載の識別情報を有する義歯。
【請求項３】
前記レジン床の表面に付する前記義歯識別標識は、描画が刻設された所定の形状を有する板状のレジン片を前記レジン床に直接埋入固定させたことを特徴とする請求項１に記載の識別情報を有する義歯。
【請求項４】
前記クラウンの形態修正後、
前記陶材製クラウンの表面に塗布するステイン陶材または前記レジン材製クラウンの表面に塗布する歯科用ステインにより、前記クラウンの表面に直接描画を描き、その後、前記陶材製クラウンをグレーズ焼成またはセルフグレーズ焼成をおこない、または、前記レジン材製クラウンの表面に透明レジンを塗布後、重合・研磨をおこなうことを特徴とする請求項１または請求項２に記載の識別情報を有する義歯の製造方法。
【請求項５】
前記クラウンの形態修正後、
切削工具で前記クラウンの表面に描画を刻設し、
前記陶材製クラウンの表面にステイン陶材または前記レジン材製クラウンの表面に歯科用ステインを前記描画の刻設溝に埋入し、その後、前記陶材製クラウンをグレーズ焼成またはセルフグレーズ焼成をおこない、または、前記レジン材製クラウンの表面に透明レジン塗布後、重合・研磨をおこなうことを特徴とする請求項１または請求項２に記載の識別情報を有する義歯の製造方法。
【請求項６】
人工歯が排列された蝋義歯製作後に、フラスコ埋没し、前記蝋義歯の人工歯排列部の蝋部分を床用レジンに置換して第１のレジン床を形成する一方、前記蝋義歯の基礎床部を床用レジンに置換して第２のレジン床を形成し、描画が刻設された前記レジン片の刻設面を前記第２のレジン床に押し当てて前記第２のレジン床の所望の位置に仮置きし、前記第２のレジン床が形成されたフラスコと前記第１のレジン床が形成されたフラスコとを重ねて前記レジン片を挟み込み、フラスコ加圧をおこなって前記第１のレジン床と前記第２のレジン床を一塊とし重合させてレジン床を形成し、その後、前記レジン床面を研磨して、義歯を装着したときに前記レジン片の刻設面が舌側に現れるようにすることを特徴とする請求項１または請求項３に記載の識別情報を有する義歯の製造方法。
【発明の詳細な説明】
【技術分野】
【０００１】
本願発明は、クラウンまたはポンティックあるいは人工歯を支持するレジン床に製造者名等の義歯識別情報を付した標識を有する義歯に関する。
【背景技術】
【０００２】
高齢化社会を迎えて、高齢者の増加とともに、介護を受ける高齢者のなかにも義歯を装着する者が多数存在するようになってきた。このようなことを背景として、一人の介護者が複数の高齢者を介護することが通常であり、食事等が終わった後、介護者が複数の被介護者から有床義歯を預かり、洗浄した後、各被介護者に返却することがおこなわれる。そのため、有床義歯には所有者を識別するための目印を付けることが従来からおこなわれていた。この従来実施されていた方法には、たとえば、有床義歯の舌側に所有者の氏名を刻設する方法がある。しかし、この方法では、装着者が食べ物を咀嚼するたびに刻設部分に応力の集中が生じ、咀嚼を繰り返すことで比較的容易に刻設部分から破損するという不具合があった。
【０００３】
さらに、近年になると、製造物責任が問われるようになり、義歯もその例にもれず、製造者名を義歯に明記する必要も生じてきた。このため、有床義歯にテープや印刷物等を用いて製造者名や電話番号等を記入する方法も紹介されているが、使用されるテープや印刷物は歯科材料としての許可を受けていないものである。
【０００４】
また、情報が収納されている小片を有床義歯に埋設する発明や考案が提案されていて、有床義歯に埋設する小片に多数の情報を集積する工夫がおこなわれている。この発明や考案には、たとえば、特開平１１−２５３４６１号公報に掲載された発明や実用新案登録第３０８０１３３号公報に記載された考案がある。
【０００５】
特開平１１−２５３４６１号公報に掲載された発明は、有床義歯のレジン床に埋め込み穴を刻設して、この埋め込み穴にマイクロチップなどを埋め込み、その後、マイクロチップなどの表面に即時重合型レジンを塗布して固化させたものである。
また、実用新案登録第３０８０１３３号公報に記載された考案は、有床義歯のレジン床またはクラウンに埋め込み用くぼみを刻設して、この埋め込み用くぼみに情報記載片を埋め込んだ後、透明レジンで覆い固定し、透明レジンの表面を研磨するものである。
【０００６】
そして、前記特開平１１−２５３４６１号公報に掲載された発明は、マイクロチップの読み取り機により義歯の所有者の登録番号を読み取り、義歯の所有者を特定するというもので、前記実用新案登録第３０８０１３３号公報に記載された考案は、所有者の氏名、歯科医院名、カルテナンバー、電話番号、住所などの文字情報を迅速、確実に確認するというものである。
【特許文献１】特開平１１−２５３４６１号公報
【特許文献２】実用新案登録第３０８０１３３号公報
【発明の開示】
【発明が解決しようとする課題】
【０００７】
しかしながら、天然歯に限らず義歯であっても、その歯型は個人を特定するのに、重要な要素を占め、このような場合に際しては、義歯に識別標識が付されていれば、義歯の所有者を迅速に特定することができる。そのためには、生活環境とは異なる高温等の状態に当該義歯が曝されても、当該義歯に付された識別標識の識別機能が維持されることが要望される。また、このような識別標識は、たとえば、見付面積が狭く、平面部分が僅小な下顎切歯や下顎犬歯のような義歯であっても付することができるようなものであることが望ましい。
【０００８】
このような観点から見ると、特開平１１−２５３４６１号公報に掲載された発明は、マイクロチップを使用しているため本質的に熱に弱く、また、マイクロチップの大きさからは、レジン床にのみ埋め込みが可能である。また、実用新案登録第３０８０１３３号公報に記載された考案にあっても、当該考案に使用される情報記載片には、所有者の氏名、歯科医院名、カルテナンバー、電話番号、住所などの文字情報が記載されているため、ある程度の大きさを有せざるを得ず、義歯にも埋め込むことができるとされているものの、対象となる義歯は、臼歯のような見付面積の大きい義歯に限られるとともに、情報記載片が高熱に曝された場合には、変形あるいは燃焼してしまうことになる。
さらに、前記のマイクロチップや情報記載片は、歯科材料としての許可を受けていないものであり、レジン等で被覆はされていても、使用方法や使用年数によっては、レジン等が剥離したり磨耗したりする場合も生じ、さらには、口腔内で食物残渣が付着して不衛生であることを免れない。その上、マイクロチップに記載された情報を読み取るためには、専用の読み取り機が必要であり、情報記載片に記載された情報を読み取るためには、拡大鏡を必要とする。
【０００９】
そこで、本願発明は、高熱に曝された場合であっても、目視読み取りが可能で、見付面積が狭く、平面部分が僅小な義歯にも付することができ、法的にも許可されている歯科材料からなる識別標識、を有する義歯およびその製造方法を提供することを目的とする。
【課題を解決するための手段】
【００１０】
上記目的を達成するために、本願請求項１に係る識別情報を有する義歯の発明は、陶材製またはレジン材製のクラウンまたはクラウンとポンティックからなる架工義歯（ブリッジ）または人工歯とこれを支持するレジン床とからなる有床義歯において、前記クラウンとポンティックの表面および／または前記レジン床の表面の舌側歯頸部近傍に目視可能な義歯識別標識が付されていることを特徴としている。
また、本願請求項２に係る識別情報を有する義歯の発明は、本願請求項１に係る識別情報を有する義歯であって、前記クラウンの表面に付する前記義歯識別標識は、前記陶材製クラウンの表面に塗布するステイン陶材または前記レジン材製のクラウンの表面に塗布する歯科用ステインにより、前記クラウンの表面に直接描出された文字または線図あるいは描画であることを特徴としている。
そして、本願請求項３に係る識別情報を有する義歯の発明は、本願請求項１の発明に係る識別情報を有する義歯であって、前記レジン床の表面に付する前記義歯識別標識は、描画が刻設された所定の形状を有する板状のレジン片を前記レジン床に直接埋入固定させたことを特徴としている。
さらに、本願請求項４に係る識別情報を有する義歯の製造方法の発明は、本願請求項１または本願請求項２に係る識別情報を有する義歯の製造方法であって、前記クラウンの形態修正後、前記陶材製クラウンの表面に塗布するステイン陶材または前記レジン材製クラウンの表面に塗布する歯科用ステインにより、前記クラウンの表面に直接描画を描き、その後、前記陶材製クラウンをグレーズ焼成またはセルフグレーズ焼成をおこない、または、前記レジン材製クラウンの表面に透明レジンを塗布後、重合・研磨をおこなうことを特徴としている。
また、本願請求項５に係る識別情報を有する義歯の製造方法の発明は、本願請求項１または本願請求項２に係る識別情報を有する義歯の製造方法であって、前記クラウンの形態修正後、切削工具で前記クラウンの表面に描画を刻設し、前記陶材製クラウンの表面にステイン陶材または前記レジン材製クラウンの表面に歯科用ステインを前記描画の刻設溝に埋入し、その後、前記陶材製クラウンをグレーズ焼成またはセルフグレーズ焼成をおこない、または、前記レジン材製クラウンの表面に透明レジン塗布後、重合・研磨をおこなうことを特徴としている。
そして、本願請求項６に係る識別情報を有する義歯の製造方法の発明は、本願請求項１または本願請求項３に係る識別情報を有する義歯の製造方法であって、人工歯が排列された蝋義歯製作後に、フラスコ埋没し、前記蝋義歯の人工歯排列部の蝋部分を床用レジンに置換して第１のレジン床を形成する一方、前記蝋義歯の基礎床部を床用レジンに置換して第２のレジン床を形成し、描画が刻設された前記レジン片の刻設面を前記第２のレジン床に押し当てて前記第２のレジン床の所望の位置に仮置きし、前記第２のレジン床が形成されたフラスコと前記第１のレジン床が形成されたフラスコとを重ねて前記レジン片を挟み込み、フラスコ加圧をおこなって前記第１のレジン床と前記第２のレジン床を一塊とし重合させてレジン床を形成し、その後、前記レジン床面を研磨して、義歯を装着したときに前記レジン片の刻設面が舌側に現れるようにすることを特徴としている。
【発明の効果】
【００１１】
以上のように本願請求項１に係る発明によれば、目視可能な義歯識別標識を舌側歯頸部近傍に付しているため、以下の効果がある。すなわち、
（１）義歯識別標識は舌側に付されることにより、義歯識別標識が外観に現れることはない。歯は顔の表情に重要な役割を占め、義歯に付された標識が外部から見えるようだと相手に違和感を与えてしまうことになる。本願発明においてはそのようなことはなく、本願発明に係る義歯を使用しても不自然さがない。
（２）義歯識別標識は歯頸部近傍に付されていて、この歯頸部近傍は上下顎歯相互が接触することの少ない場所であるため、義歯識別標識の損傷を防ぐことができる。
【００１２】
また、本願請求項２に係る発明によれば、義歯識別標識は、ステイン陶材または歯科用ステインでクラウンの表面に直接描出された描画であるため、以下の効果がある。すなわち、
（１）ステイン陶材または歯科用ステインは、通常、義歯製作過程で彩色に使用される材料であり、法的な規制の対象ではなく、数種類の色を使用することができる。そして、複数の色が使用できることから、義歯識別標識に盛り込むことのできる情報量も多くなる。
（２）義歯識別標識は描画であるため、極めて小さな標識にすることができる。本願発明における描画（「文字」、「記号」あるいは「模様」等からなる。以下、同じ）を用いて、例えば文字の場合は、縦横２ｍｍ角程度としている。これは、目視可能であるために必要な大きさとしていることによる。
【００１３】
そして、本願請求項３に係る発明によれば、レジン床の表面に付する義歯識別標識を予め描画が刻設されたレジン片としているため、以下の効果を有する。
（１）予め描画が刻設されたレジン片を製作してからレジン床に埋入固定させるため、義歯識別標識は極めて精緻な描画とすることができるとともに、レジン床はクラウンに比して、平面的な面積が大きく、その分、義歯識別標識も大きくすることができ、義歯識別標識に盛り込むことができる情報量を多くすることができる。
（２）また、予め描画が刻設されたレジン片の描画に、ステイン陶材または歯科用ステインで着色すれば、レジン片の情報量をより多くすることができる。
（３）レジン自体の形状を方形、円形、多角形あるいは星形等とし、レジン自体の色も変えて前記のレジン自体の形状と組み合わせれば、さらに、多くの情報量をレジン片に盛り込むことができる。
（４）また、レジン片はレジン床と同じ材料で作製されるので、接着性・密着性が良く一体化され、さらには、露出する表面の平滑性が保たれ、食物残渣等が付着することがなく、衛生上も通常のレジン床と同様の使用ができる。
【００１４】
さらに、本願請求項４に係る製造方法の発明では、クラウンの表面に直接ステイン陶材または歯科用ステインで描画を描き、また、本願請求項５に係る製造方法の発明では、クラウンの表面に描画を刻設してから、ステイン陶材または歯科用ステインを埋入している。そのため、本願請求項４に係る製造方法では、習熟することにより簡便に義歯識別標識を製作することができ、本願請求項５に係る製造方法では、ステイン陶材または歯科用ステインで描いた線が滲むことがない。
そして、本願請求項４の製造方法であっても本願請求項５の製造方法であっても、描画を描いた後にグレーズ焼成、セルフグレーズ焼成、または透明レジン塗布後、重合・研磨・艶出しの一連の作業をおこなうため、いわばステイン陶材または歯科用ステインの表面をコーティングすることになり、ステイン陶材または歯科用ステインは強固にクラウンの表面に固着される。
【００１５】
また、本願請求項６に係る発明によれば、重合させた第１のレジン床と第２のレジン床との間にレジン片を挟持させているため、レジン片は第１のレジン床と第２のレジン床に一体化することになり、強固に固定される。また、レジン片の厚みは１ｍｍ程度であり、その分レジン片が仮置きされる第２のレジン床を薄くすることにより、当該義歯の装着者がレジン片による違和感を覚えることはない。
【００１６】
前述のように、クラウンに描く文字の大きさは縦横２ｍｍ角程度としており、クラウンに描く文字数はクラウンの大きさを考慮すると２文字程度となる。この２文字にアルファベットを使用すれば、その組合せは、６７６個となり、さらにステイン陶材または歯科用ステインの色数を通常使用される５色とすれば、義歯識別標識に盛り込むことのできる情報量は、１６，９００個（６７６×５×５）ということになる。さらに、この情報量とレジン床に埋入されたレジン片の情報量とを合わせれば、無限に近い情報量を本願発明に係る義歯に与えることになる。
【００１７】
この義歯識別標識には、所有者の情報を付与することは勿論可能であるが、本願出願人は、この義歯識別標識に製造者の情報を付与することを考えている。当該義歯が、高熱に曝され義歯全体の形状が原形をとどめていないような場合であっても、１つのクラウンの義歯識別標識が読み取り可能であれば、そこから当該義歯の製造者が判明し、当該義歯の製造者が判明すれば、歯型などから当該製造者が保持するカルテにより、氏名等が刻設されている場合より、確実かつ迅速に当該義歯の所有者を特定することができるからである。
このように、この義歯識別標識に付与する情報を限られたものとしても、他のデータベースと関連付けることにより、この義歯識別標識が有する情報は無限の広がりを持つことになる。
【発明を実施するための最良の形態】
【００１８】
以下、本願発明を実施するための最良の形態に係る実施例１および実施例２について図１ないし図４に基づいて説明する。図１は、実施例１に係る識別情報を有する義歯の製造中の図、図２は、実施例１に係る識別情報を有する義歯の製造のフローチャート、図３は、実施例２に係る識別情報を有する義歯の断面構成図、図４は、実施例２に係る識別情報を有する義歯の製造のフローチャートである。
【００１９】
まず、実施例１について図１および図２に基づいて説明する。図１において、符号１２は本実施例に係る識別情報を有する義歯を構成するクラウン、符号１４は義歯識別標識、符号４０は筆、符号４２は筆の柄、符号４４は筆の穂先である。
本実施例に係る識別情報を有する義歯は、図示外の支台装置と連結するポンティックと、クラウン１２と、義歯識別標識１４と、から構成されている。そして、図１においては、クラウン１２の舌側が手前となっていて、本実施例においては、見付面積が狭い下顎切歯を例として示している。義歯識別標識１４は、クラウン１２の舌側歯頸部近傍に付されていて、本実施例においては、例えば、「日大」という漢字の２文字からなっているが、漢字に限定されるわけではないことは勿論であり、場合によっては、「記号」や「図形」、「キャラクタ模様」等であっても良い。また、筆４０は、周知のものであり、筆の柄４２と筆の穂先４４から構成されている。
【００２０】
つぎに、本実施例に係る義歯の製造方法について、図２を基に説明する。
クラウン１２には、陶材製のクラウン（以下「陶材冠」という。）とレジン材製のクラウン（以下「レジン冠」という。）があり、義歯の製造方法も異なるので、個別に説明する。
【００２１】
まず、「日大」の文字を識別標識とする陶材冠の製造方法について説明する。
（１）陶材冠の核となるフレームの仕上げ処理後、オペーク陶材の塗布、焼成をおこない、デンチン陶材の築盛、焼成をおこない、さらにエナメル陶材の築盛、焼成をおこなう。その後、クラウンの形態修正をおこなう（ステップＳ１）。ここで、オペーク陶材は、フレーム色の遮断、および、フレームに築盛する陶材との結合を強化するためのものである。クラウンとは、冠状の被覆部をいい、形態修正は、クラウンの形を天然歯に似せて整えることをいう。
【００２２】
（２）ステップＳ１で最終的な形態に修正された陶材冠１２の舌側歯頚部近傍に、尖端の鋭いカーバイトバー等で「日大」と刻設する（ステップＳ２）。カーバイトバーとは、カーバイト製の切削工具をいう。
（３）そして、カーバイトバー等で刻設した溝に、先端が極細の穂先４２を有する筆４０や針でステイン陶材を埋め込み（ステップＳ３ａ）、義歯識別標識１４を形成する。ステイン陶材は彩色材であり、微細な粉末からなっている。なお、図１はこのステップＳ３ａあるいは後述するステップＳ３ｂを示したものである。
（４）埋め込んだステイン陶材の上からグレーズ陶材を塗布しグレーズ焼成をおこなうか、あるいは、グレーズ陶材を塗布せずにセルフグレーズ焼成をおこなう（ステップＳ４ａ）。このグレーズ陶材は透明であり、ステイン陶材の上から塗布することにより保護皮膜が形成される。また、セルフグレーズ焼成は、グレーズ陶材を使わずに、築盛された陶材のみで焼成することにより艶を出すことをいう。
（５）その後、この陶材冠１２はクラウン単冠として作成するか、あるいは、この陶材冠１２を支台装置とし、ポンティックと連結して架工義歯として作成し、本実施例に係る識別情報を有する義歯の製造が完了する（ステップＳ６）。
【００２３】
つぎに、「日大」の文字を識別標識とするレジン冠の製造方法について説明する。
（１）築盛・重合を繰り返しながらクラウンとしての形を整え、クラウンの形態修正をおこなう（ステップＳ１）。
（２）ステップＳ２は、陶材冠１２の場合と同様であるのでその説明を省略する。
（３）カーバイトバー等で刻設した溝に歯科用ステインを先端が極細の穂先４２を有する筆４０や針で埋め込む（ステップＳ３ｂ）。この歯科用ステインは彩色材であり、微細な粉末からなっている。
（４）埋め込んだ歯科用ステインの上から透明のレジンを塗布し、重合をおこなう（ステップＳ４ｂ）。
（５）その後、最終の艶出し研磨をおこない（ステップＳ５ｂ）、さらに前述したステップＳ６を経て、本実施例に係る識別情報を有する義歯の製造が完了する。
【００２４】
つぎに、実施例２について図３および図４に基づいて説明する。図３において、符号２０は本実施例に係る識別情報を有する義歯、符号２２は人工歯、符号２４はレジン床、符号２４ａは第１のレジン床、符号２４ｂは第２のレジン床、符号２６はレジン片である。
【００２５】
つぎに、「日大」の文字を識別標識とする有床義歯の製造方法について説明する。
義歯２０は有床義歯であり、義歯２０を装着した場合、図３の上側は舌に接する側であり、図３の下側は顎堤側である。そして、第１のレジン床２４ａと第２のレジン床２４ｂとが重合されてレジン床２４が形成されていて、第１のレジン床２４ａには、人工歯２２が排列されている。
その表面に「日大」の文字が刻設されているレジン片２６は、本実施例においては、略４ｍｍ×８ｍｍ×厚１ｍｍの臼歯の断面形状とした略方形の板状体であり、第１のレジン床２４ａと第２のレジン床２４ｂとに挟装されていて、第１のレジン床２４ａおよび第２のレジン床２４ｂに重合されて一体化され、より強固に固着されている。そして、第１のレジン床２４ａの表面を研磨することによって、「日大」の文字が第１のレジン床２４ａの表面に現れた状態となっている。
なお、本実施例に係る人工歯２２には、実施例１に係る義歯識別標識１４を付したクラウン１２を使用してもよいことは勿論である。
【００２６】
つぎに、義歯２０の製造工程について、図４を基に説明する。
（１）まず、クラウンが排列された蝋義歯を製作する（ステップＴ１）。
（２）つぎに、ステップＴ１で製作した蝋義歯をフラスコ内に埋没させる（ステップＴ２）。
（３）そして、蝋義歯のワックスを流蝋させて上フラスコの蝋部分を床用レジンに置換し、第１のレジン床２４ａを形成し（ステップＴ３ａ）、同様にして、下フラスコに第２のレジン床２４ｂを形成する（ステップＴ３ｂ）。
（４）その後、「日大」の文字が刻設されたレジン片２６の刻設面を下向きにして、第２のレジン床上２４ｂの所望の位置にレジン片２６を仮置きする（ステップＴ４）。
（５）第２のレジン床２４ｂが形成されたフラスコを下にし、第１のレジン床２４ａが形成されたフラスコを上にして、第２のレジン床２４ｂの上に第１のレジン床２４ａを重ねるように上下のフラスコを重ね合わせ（ステップＴ５）、
（６）重ね合せた上下のフラスコを加圧して、第１のレジン床２４ａと第２のレジン床２４ｂを一塊とし重合させる（ステップＴ６）。
（７）そして、重合したレジン床２４を研磨して、「日大」の文字が刻設されたレジン片２６の「日大」の文字を研ぎ出すとともに、レジン床２４の艶出しをおこなう。図３は、この最終工程における段階における義歯２０を示している。
【図面の簡単な説明】
【００２７】
【図１】図１は、本願発明を実施するための最良の形態の実施例１に係る識別情報を有する義歯の製造中の図である。
【図２】図２は、実施例１に係る識別情報を有する義歯の製造のフローチャートである。
【図３】図３は、本願発明を実施するための最良の形態の実施例２に係る識別情報を有する義歯の断面構成図である。
【図４】図４は、実施例２に係る識別情報を有する義歯の製造のフローチャートである。
【符号の説明】
【００２８】
１２  実施例１に係る識別情報が付されたクラウン
１４  義歯識別標識
２０  実施例２に係る識別情報を有する義歯
２２  人工歯
２４  レジン床
２６  レジン片
４０  筆
【図１】
2006034600.tif 000003
【図２】
2006034600.tif 000004
【図３】
2006034600.tif 000005
【図４】
2006034600.tif 000006